(57)【要約】      （修正有）【課題】誰でも簡単に組立や分解が可能であり、不使用時にはブース以外の用途で使用できる組立式ブースを提供する。【解決手段】組立式ブースは、４本の支柱１０、３枚の長板２０、複数枚の短板３０を備え、支柱を床面の四隅に立設し、長板を立てた姿勢で支柱の間に配置し、短板を横倒しした姿勢で支柱の間に架設して、収納棚を組み立て、支柱を所定間隔で床面に立設し、長板と短板をそれぞれ立てた姿勢で支柱に取り付けて、仕切りブースを組み立てる。【選択図】図１
0003228307.tif 000002
【実用新案登録請求の範囲】
【請求項１】
４本の支柱と、
３枚の長方形の長板と、
複数枚の長方形の短板と、
を備え、
前記支柱を平面視矩形の床面の四隅に立設し、前記長板を立てた姿勢で前記支柱の間に配置し、前記短板を横倒しした姿勢で前記支柱の間に架設して、収納棚を組み立て、
前記支柱を所定間隔で床面に立設し、前記長板と前記短板をそれぞれ立てた姿勢で前記支柱に取り付けて、仕切りブースを組み立てる、ことを特徴とする組立式ブース。
【請求項２】
前記仕切りブースを組み立てるとき、前記短板同士を連結させて第二長板にして前記支柱に取り付ける、ことを特徴とする請求項１に記載の組立式ブース。
【請求項３】
前記短板は３の倍数枚である、ことを特徴とする請求項１または２に記載の組立式ブース。
【請求項４】
前記長板と前記短板は同一厚であり、
前記支柱の側面の四方に前記長板または前記短板を差し込む縦溝が設けられる、ことを特徴とする請求項１から３のうちいずれか一項に記載の組立式ブース。
【請求項５】
前記支柱は四角柱であり、各側面の片側に前記縦溝が配置される、ことを特徴とする請求項４に記載の組立式ブース。
【請求項６】
前記長板と前記短板の側面にショルダースクリューが設けられ、
前記縦溝に前記ショルダースクリューを掛け止めるクリップが設けられる、ことを特徴とする請求項４または５に記載の組立式ブース。
【請求項７】
前記収納棚を組み立てるとき、前記支柱の側面に設けたダボ穴にダボ軸を取り付け、前記ダボ軸により前記短板を支持する、ことを特徴とする請求項１から６のうちいずれか一項に記載の組立式ブース。
【請求項８】
前記収納棚を組み立てるとき、前記長板の内面に水平方向に延びる桟を取り付け、前記桟により前記短板を支持する、ことを特徴とする請求項７に記載の組立式ブース。
【考案の詳細な説明】
【技術分野】
【０００１】
本考案は、組立式ブースに関する。特に、災害時においてトイレや更衣所、資材一時保管所等として使用するのに適した組立式ブースに関する。
【背景技術】
【０００２】
地震や水害等の災害時には、避難所に仮設トイレ等が設置される。また、プライバシーを確保するブースも併せて組み立てられる。
このような組立式ブースとして、組立や解体が簡易に行え、使用後はそのまま焼却処分することが可能な厚紙や段ボール紙を用いたもの等が提案されている。
【先行技術文献】
【特許文献】
【０００３】
【特許文献１】特開２００１−２１４６２７号
【考案の概要】
【考案が解決しようとする課題】
【０００４】
組立式ブースは、厚紙等を用いたものに限らず、不使用時（平時）には備蓄場所や倉庫等に保管される。しかし、組立式ブースは、構成部品が大きいため収納スペースが大きくなってしまう。また、組立式ブースは、構成部品が多く、組み立てる際に専門的技術や工具が必要であり、誰でも簡単に組み立てることができない。使用後に撤去する場合も同様である。
本考案は、不使用時（平時）にはブース以外の用途で使用でき、また誰でも簡単に組み立てや分解（撤去）が可能であり、さらに用途に応じてブース形状を変更させることもできる組立式ブースを提供する。
【課題を解決するための手段】
【０００５】
本考案に係る組立式ブースの実施態様は、４本の支柱と、３枚の長方形の長板と、複数枚の長方形の短板と、を備え、前記支柱を平面視矩形の床面の四隅に立設し、前記長板を立てた姿勢で前記支柱の間に配置し、前記短板を横倒しした姿勢で前記支柱の間に架設して、収納棚を組み立て、前記支柱を所定間隔で床面に立設し、前記長板と前記短板をそれぞれ立てた姿勢で前記支柱に取り付けて、仕切りブースを組み立てる、ことを特徴とする。
【０００６】
前記仕切りブースを組み立てるとき、前記短板同士を連結させて第二長板にして前記支柱に取り付ける、ことを特徴とする。
前記短板は３の倍数枚である、ことを特徴とする。
【０００７】
前記長板と前記短板は同一厚であり、前記支柱の側面の四方に前記長板または前記短板を差し込む縦溝が設けられる、ことを特徴とする。
前記支柱は四角柱であり、各側面の片側に前記縦溝が配置される、ことを特徴とする。
前記長板と前記短板の側面にショルダースクリューが設けられ、前記縦溝に前記ショルダースクリューを掛け止めるクリップが設けられる、ことを特徴とする。
【０００８】
前記収納棚を組み立てるとき、前記支柱の側面に設けたダボ穴にダボ軸を取り付け、前記ダボ軸により前記短板を支持する、ことを特徴とする。
前記収納棚を組み立てるとき、前記長板の内面に水平方向に延びる桟を取り付け、前記桟により前記短板を支持する、ことを特徴とする。
【考案の効果】
【０００９】
本考案の組立式ブースは、不使用時（平時）にもブース以外の用途で使用することができる。組立式ブースは、誰でも簡単に組み立てや分解（撤去）が可能である。さらに、組立式ブースは、用途に応じてブース形状を変更させることもできる。
【図面の簡単な説明】
【００１０】
【図１】組立式ブース１の不使用の形態（第一形態：収納棚２）の正面図である。
【図２】収納棚２の右側面図である。
【図３】収納棚２のＡ−Ａ断面図である。
【図４】収納棚２のＢ−Ｂ断面図である。
【図５】収納棚２のＣ−Ｃ断面図である。
【図６】収納棚２のＤ−Ｄ断面図である。
【図７】収納棚２のＥ部拡大図である。
【図８】収納棚２のＦ部拡大図である。
【図９】収納棚２のＧ部拡大図である。
【図１０】収納棚２のＨ部拡大図である。
【図１１】組立式ブースの使用時の形態（第二形態：仕切りブース３）の平面図である。
【図１２】仕切りブース３の正面図である。
【図１３】仕切りブース３のＩ−Ｉ断面図である。
【図１４】組立式ブースの使用時の形態（第三形態：仕切りブース４）の平面図である。
【図１５】仕切りブース４の正面図である。
【図１６】仕切りブース４の右側面図である。
【考案を実施するための形態】
【００１１】
以下、本考案の実施形態に係る組立式ブース１について、図面を参照して説明する。各図において、同一構成については同一の符号を付す。以下の説明において、材質（材料）、数量、各種寸法等はあくまでも一例である。
【００１２】
〔組立式ブース１〕
組立式ブース１は、４本の支柱１０、３枚の長方形の長板２０、６枚の長方形の短板３０を備える。
【００１３】
４本の支柱１０（１０ａ~１０ｄ）は、いずれも四角柱であり、横幅および奥行きがそれぞれ１０５ｍｍ、高さが１５００ｍｍである。支柱１０には木材を用いるのが好ましい。
支柱１０の外周面（側面１１）には、縦溝１２が上下方向に沿って彫り込まれる。縦溝１２は、横幅が２２ｍｍ、深さが２２ｍｍである。４つの側面１１のうち、少なくとも２つの側面１１に縦溝１２が１つずつ設けられる。好ましくは、３つまたは４つの側面１１にそれぞれ縦溝１２が１つずつ設けられる。
支柱１０は、四角柱に限らず、例えば円柱や八角柱等であってもよい。
【００１４】
縦溝１２は、側面１１の片側に配置される。支柱１０を垂直に立てた状態で側面１１を正面視すると、縦溝１２が側面１１の中央よりも左側に配置される。支柱１０を平面視すると、卍形状に形成される。支柱１０の強度を低下させないためである。支柱１０を上下反対に立てて、縦溝１２が側面１１の中央よりも右側に配置されるようにして使用してもよい。
４本の支柱１０を全て同じ姿勢（縦溝１２が側面１１の左側または右側に配置された姿勢）で使用してもよい。また、例えば２本の支柱１０を縦溝１２が側面１１の左側に配置された姿勢、残りの２本の支柱１０を縦溝１２が側面１１の右側に配置された姿勢で使用してもよい。
【００１５】
各縦溝１２の底面には、少なくとも２つのクリップ１５が固定される。クリップ１５が２つの場合は、縦溝１２の上端側と下端側にそれぞれ１つずつ配置される。
クリップ１５は、後述するショルダースクリュー２５を掛け止める金具であり、クリップ１５のレール溝にショルダースクリュー２５のショルダー部を差し込むと、クリップ１５にショルダースクリュー２５が引っ掛かって、両者が連結される。具体的には、クリップ１５にはスガツネ工業クリップ６０６３、ショルダースクリュー２５にはスガツネ工業ショルダースクリュー６０６８が用いられる。
このクリップ１５とショルダースクリュー２５は、支柱１０に対して長板２０や短板３０を取り付けるために用いられる。長板２０や短板３０を垂直に立てた状態で支柱１０に取り付けると、長板２０や短板３０が仕切り板（壁板）として機能する。
また、クリップ１５とショルダースクリュー２５は、簡単に連結と解除ができるので、支柱１０に対する長板２０や短板３０の取り付けや取り外しを誰でも容易にすることが可能である。
【００１６】
また、支柱１０の側面１１には、複数のダボ穴１７が設けられる。複数のダボ穴１７は、上下方向において一定間隔に配置される。このダボ穴１７にダボ軸１８を嵌め入れると、短板３０を水平に倒した状態で４本のダボ軸１８に載置することが可能になる。このように、短板３０を水平に倒した状態で４本の支柱１０に架設する（取り付ける）と、短板３０が棚板として機能する。
ダボ穴１７およびダボ軸１８の数や配置間隔等は、任意である。全ての側面１１にダボ穴１７を設けてもよいし、任意の側面１１のみにダボ穴１７を設けるようにしてもよい。
【００１７】
３枚の長板２０は、長方形の平板である。長板２０には木材を用いるのが好ましい。
長板２０は、立てた状態で用いられる。つまり、長板２０の長手（高さ）方向が上下方向に一致する。
長板２０は、２枚（長板２０ａ，２０ｂ）が、横幅５２０ｍｍ、高さ１５００ｍｍ、厚み２０ｍｍである。残りの１枚（長板２０ｃ）は、横幅６６７ｍｍ、高さ１５００ｍｍ、厚み２０ｍｍである。
【００１８】
長板２０の小端（２つの側面）には、それぞれ少なくとも２つのショルダースクリュー２５が固定される。ショルダースクリュー２５が２つの場合は、小端の上端側と下端側にそれぞれ１つずつ配置される。ショルダースクリュー２５は、支柱１０のクリップ１５の取り付け位置に対応するように配置される。
長板２０は、立てた状態で、１本または２本の支柱１０に取り付けられる。すなわち、長板２０の小端を縦溝１２に差し込み、長板２０のショルダースクリュー２５を支柱１０のクリップ１５に引っ掛ける。長板２０の側端部が縦溝１２に１０ｍｍ程度の深さまで嵌まり込み、さらにクリップ１５とショルダースクリュー２５が連結する。これにより、長板２０は、支柱１０に堅牢に取り付けられて、壁板または仕切り板として機能する。
【００１９】
また、長板２０ｃの内面には、複数の桟２２が水平方向に沿って設けられる。複数の桟２２は、上下方向において一定間隔に配置される。桟２２の数や配置間隔等は、ダボ穴１７（ダボ軸１８）と同一である。
この複数の桟２２には、短板３０を水平に倒した状態で載せることができる。つまり、２本の支柱１０に設けたダボ軸１８と長板２０ｃに設けた桟２２により、短板３０を水平に倒した状態で支持（載置）する。これにより、短板３０を水平に倒した状態で４本の支柱１０に架設して、短板３０を棚板として機能させることができる。
長板２０ａ，２０ｂにも複数の桟を設けて、３つの桟で短板３０を水平に支持してもよい。４本の支柱１０にそれぞれダボ軸１８を設けて、４つのダボ軸１８で短板３０を水平に支持してもよい。
【００２０】
短板３０は、長板２０より小さい長方形の平板である。短板３０には木材を用いるのが好ましい。
短板３０は、いずれも、横幅５００ｍｍ、縦幅７７５ｍｍ、厚み２０ｍｍである。短板３０は、水平に倒した状態（平置き）で用いられたり、垂直に立てた状態で用いられたりする。短板３０を立てた状態で用いる際には、横方向が上下方向、縦方向が水平方向になる。
【００２１】
短板３０の木口の一方（１つの側面）には、少なくとも２つのショルダースクリュー３５が固定される。ショルダースクリュー３５は、ショルダースクリュー２５と同一の金具である。
ショルダースクリュー３５が２つの場合は、木口の左端側と右端側にそれぞれ１つずつ配置される。短板３０を立てた状態で用いる際に、ショルダースクリュー２５は、支柱１０のクリップ１５の取り付け位置に対応するように配置される。
短板３０の木口の両方にそれぞれ複数のショルダースクリュー３５を固定してもよい。
【００２２】
短板３０の小端（２つの側面）には、複数のダボ穴３７が設けられる。複数のダボ穴３７は、一定間隔に配置される。このダボ穴３７にダボ軸１８を嵌め入れ、３枚の短板３０を連結すると、１枚の長板４０として用いることが可能になる。つまり、長板４０（第二長板）は、横幅７７５ｍｍ、高さ１５００ｍｍ、厚み２０ｍｍである。
２枚の短板３０を連結して、１枚の長板として用いてもよい。この場合の長板は、横幅７７５ｍｍ、高さ１０００ｍｍ、厚み２０ｍｍである。
ダボ穴３７およびダボ軸１８の数や配置間隔等は、任意である。全ての側面３１にダボ穴１７を設けてもよいし、一方の側面３１のみにダボ穴３７を設けるようにしてもよい。
【００２３】
短板３０は、水平に倒した状態で４本の支柱１０に取り付けられる（架け渡される）。上述したように、４本の支柱１０のダボ穴１７にそれぞれダボ軸１８を嵌め入れ、同じ高さ位置にある４本のダボ軸１８に短板３０を載置すると、短板３０が４本の支柱１０に架け渡されて棚板として機能する。
【００２４】
また、短板３０は、立てた状態で支柱１０に取り付けられる。上述したように、短板３０のダボ穴３７にダボ軸１８を嵌め入れて、３枚の短板３０を連結する（長板４０ａ，４０ｂを組み立てる）。そして、この長板４０の側面（短板３０の木口）を縦溝１２に差し込み、長板４０のショルダースクリュー３５を支柱１０のクリップ１５に引っ掛ける。長板４０の側端部が縦溝１２に１０ｍｍ程度の深さまで嵌まり込み、さらにクリップ１５とショルダースクリュー３５が連結する。これにより、長板４０（３枚の短板３０）は、支柱１０に堅牢に取り付けられて、仕切り板（または壁板）として機能する。
同様に、１枚または２枚の短板３０を支柱１０に取り付けて、仕切り板として機能させることもできる。
【００２５】
〔ブース収納時：収納棚２〕
図１〜１０は、組立式ブース１の不使用時の形態（第一形態）を示す図である。組立式ブース１は、収納（不使用）時には収納棚２として用いられる。
【００２６】
４本の支柱１０は、平面視すると矩形となる床面の四隅に立設される。つまり、４本の支柱１０は、接地面が四角形になるように配置される。
この４本の支柱１０の間に長板２０が配置される。平面視すると、３枚の長板２０がコ字形になるように支柱１０に取り付けられる。４本の支柱１０と３枚の長板２０の連結（組み立て）は、上述した通りである。これにより、３枚の長板２０は、収納棚２の外壁（壁板）として機能する。
また、４本の支柱１０の側面１１のダボ穴１７にはダボ軸１８が取り付けられる。ダボ軸１８は、３枚の長板２０により囲まれた空間に向けて突出するように取り付けられる。そして、同じ高さ位置にある４本のダボ軸１８に短板３０を載置する。つまり、短板３０を４本の支柱１０に架け渡す。短板３０は、３枚の長板２０により囲まれた空間に水平に配置される。これにより、各短板３０は、収納棚２の棚板として機能する。
複数枚の短板３０を重ねて４本の支柱１０に架け渡たしてもよい。短板３０が撓んで変形しまうことを防止するためである。
２枚の短板３０を重ねた場合には、収納棚２には３つの棚板が設けられる。
【００２７】
４本の支柱１０に囲まれた床面には、例えば簡易トイレ５１を収納することができる。組立式ブース１の不使用時には、この簡易トイレ５１をゴミ箱として使用することができる。
各棚板（短板３０）には、トイレットペーパーや便座カバー５２を載せて収納（保管）することができる。例えば、薄板で便座カバー５２を形成し、この便座カバー５２を重ねた状態で各棚板（短板３０）に収納・保管してもよい。
また、各棚板に引き出し５５を載置して、この引出し５５にトイレットペーパー等の小物類を入れてもよい。
また、４本の支柱１０の頂部に天板５６を架け渡すように取り付けてもよい。
【００２８】
組立式ブース１は、不使用時において、ブース以外の用途（収納棚）で使用できる。このため、必ずしも備蓄場所や倉庫等に保管される必要はなく、例えば階段下等のデッドスペースに設置することができる。
【００２９】
〔ブース展開時：仕切りブース３〕
図１１〜１３は、組立式ブース１の使用時の形態（第二形態）を示す図である。組立式ブース１は、展開（使用）時には仕切りブース３として用いられる。
仕切りブース３は、４本の支柱１０、３枚の長板２０および２枚の長板４０を備える。すなわち、仕切りブース３では、３枚の短板３０を連結して長板４０として用いる。
【００３０】
図に示す様に、組立式ブース１の第一形態から１本の支柱１０ｂと１枚の長板２０ｂを取り外して前方側に移動させる。そして、長板２０ｂを支柱１０ａに取り付け、長板２０ｂの他方に支柱１０ｂを取り付ける。さらに、支柱１０ｂ，１０ｄの右側にそれぞれ長板４０ａ，４０ｂ（３枚の短板３０）を取り付ける。
これにより、略コ字形の大きな空間Ｓ１が形成される。空間Ｓ１は、例えば、避難所等における仮設トイレブースとして使用することができる。空間Ｓ１の右側（開口）側の長板４０ｂ）を建物の壁に密着させることにより、プライバシーも確保できる。
引き出し５５や天板５６は、空間Ｓ１の床面に置いて、収納棚２に収納していたトイレットペーパーや便座カバー５２を載せる台として用いる。
なお、防犯のため、空間Ｓ１の入口付近に見張り番を置くことが好ましい。
【００３１】
〔ブース展開時：仕切りブース４〕
図１４〜１６は、組立式ブース１の使用時の形態（第三形態）を示す図である。組立式ブース１は、展開（使用）時には仕切りブース４として用いられる。
仕切りブース４は、仕切りブース３と同様に、４本の支柱１０、３枚の長板２０および２枚の長板４０を備える。仕切りブース４でも、３枚の短板３０を連結して長板４０として用いる。
【００３２】
図に示す様に、組立式ブース１の第一形態から１本の支柱１０ｂを取り外して右側に移動させる。そして、支柱１０ｄと支柱１０ｂの間に長板４０ａを取り付け、さらに支柱１０ｂの前方側に長板４０ｂを取り付ける。
これにより、略ヨ字形の空間Ｓ２が形成される。この空間Ｓ２は、例えば、避難所等における着替えブースや男子用トイレ（小便トイレ）として用いことができる。空間Ｓ２の開口側を建物の壁に近づけることにより、プライバシーも確保できる。
なお、防犯のため、空間Ｓ２の入口付近に見張り番を置くことが好ましい。
【００３３】
以上説明した通り、組立式ブース１は、４本の支柱１０、３枚の長方形の長板２０および６数枚の長方形の短板３０を備える。
そして、ブース不使用時には、支柱１０を平面視矩形の床面の四隅に立設し、長板２０を立てた姿勢で支柱１０の間に配置し、短板３０を横倒しした姿勢で支柱１０の間に架設して、収納棚２を組み立てる。
一方、ブース使用時には、支柱１０を所定間隔で床面に立設し、長板２０と短板３０をそれぞれ立てた姿勢で支柱１０に取り付けて、仕切りブース３，４を組み立てる。
このように、組立式ブース１は、不使用時（平時）にもブース以外の用途で使用することができる。また、組立式ブース１は、用途に応じてブース形状を変更させることもできる。
【００３４】
仕切りブース３，４を組み立てるとき、短板３０同士を連結させた長板４０を組み立て、この長板４０を立てた姿勢で支柱１０に取り付ける。例えば、短板３０は３の倍数枚である。
このように、短板３０を収納棚２の棚板として利用したり、短板３０同士を連結させて長板２０と同じく空間を仕切る長板４０として利用したりすることができる。
【００３５】
長板２０と短板３０は同一厚であり、支柱１０の側面１１の四方に長板２０または短板３０を差し込む縦溝１２が設けられる。これにより、支柱１０の四方に長板２０や短板３０を立てた姿勢で取り付けて、壁板や仕切板として用いることができる。長板２０、短板３０の姿勢を調整するアジャスターを、長板２０、短板３０と床面の間に配置してもよい。
支柱１０は四角柱であり、各側面１１の片側に縦溝１２が配置される。これにより、支柱１０の強度を低下させずに維持することができる。
【００３６】
長板２０の小端と短板３０の木口にショルダースクリュー２５，３５が設けられ、支柱１０の縦溝１２にクリップ１５が設けられる。クリップ１５にショルダースクリュー２５，３５を掛け止めることにより、誰でも簡単に組立式ブース１の組み立てや分解（撤去）が可能になる。
【００３７】
収納棚２を組み立てるとき、支柱１０の側面１１に設けたダボ穴１７にダボ軸１８を取り付け、このダボ軸１８により短板３０を支持して棚板として用いる。このため、誰でも簡単に組立式ブース１の組み立てや分解（撤去）が可能になる。
短板３０同士を連結させた長板４０も簡単に組み立てや分解（撤去）が可能になる。
ダボ穴１７とダボ軸１８に代えて、各種金具やネジ等を用いてもよい。具体的には、ダボ穴１７には棚受けレール（引掛柱）、ダボ軸１８には棚受爪（引掛柱用棚受）が用いられる。棚受けレールは、縦溝１２に取り付けられる。
【００３８】
本考案発は、上述した実施形態に限定されるものではなく、本考案の趣旨を逸脱しない範囲において、上述した実施形態に種々の変更を加えたものを含む。すなわち、実施形態で挙げた具体的な形状や構成等は一例にすぎず、適宜変更が可能である。
【００３９】
組立式ブース１において、支柱１０、長板２０、短板３０の材質（材料）、数量、各種寸法等は任意である。
組立式ブース１の展開時の形態は、仕切りブース３，４に限らない。また、複数の組立式ブース１を連結して、仕切りブース３，４とは異なる形態の仕切りブースを組み立ててもよい。
【００４０】
短板３０同士を連結させて長板４０として利用する場合に限らず、１枚の短板３０を立てた姿勢で支柱１０に取り付けてもよい。
長板２０，４０を縦横反転（９０°回転）し、立てた姿勢で支柱１０に取り付けてもよい。
【符号の説明】
【００４１】
１  組立式ブース  
２  収納棚  
３  仕切りブース  
４  仕切りブース  
１０  支柱  
１１  側面  
１２  縦溝  
１５  クリップ  
１７  ダボ穴  
１８  ダボ軸  
２０  長板  
２２  桟  
２５  ショルダースクリュー  
３０  短板  
３５  ショルダースクリュー  
３７  ダボ穴  
４０  長板（第二長板）  
５１  簡易トイレ  
５２  便座カバー  
５５  引出し
５６  天板  
Ｓ１  空間  
Ｓ２  空間  
【図１】
0003228307.tif 000003
【図２】
0003228307.tif 000004
【図３】
0003228307.tif 000005
【図４】
0003228307.tif 000006
【図５】
0003228307.tif 000007
【図６】
0003228307.tif 000008
【図７】
0003228307.tif 000009
【図８】
0003228307.tif 000010
【図９】
0003228307.tif 000011
【図１０】
0003228307.tif 000012
【図１１】
0003228307.tif 000013
【図１２】
0003228307.tif 000014
【図１３】
0003228307.tif 000015
【図１４】
0003228307.tif 000016
【図１５】
0003228307.tif 000017
【図１６】
0003228307.tif 000018